(57)【要約】【課題】従来の室内用集塵システムでは、床面中央部の塵埃を巻き上げ浮遊する塵埃を増やしてしまうという課題があった。【解決手段】室内の側壁面に設置され、クロスフローファン１０を有する送風手段７と、吸引により室内の気流に乗って移動する塵埃を回収すると共に排気によって室内に気流を発生させる集塵手段８とを備え、送風手段７及び集塵手段８は動作情報を相互に通信する通信手段９を相互に有し、送風手段７はクロスフローファン１０の回転軸が鉛直方向になるように室内の側壁面に配置され、側壁面に沿って気流を発生させる。【選択図】図１
2011069506.tif 000002
【特許請求の範囲】
【請求項１】
室内の側壁面に設置され、クロスフローファンを有する送風手段と、吸引により前記室内の気流に乗って移動する塵埃を回収すると共に排気によって室内に気流を発生させる集塵手段とを備え、前記送風手段及び前記集塵手段は動作情報を相互に通信する通信部を相互に有し、前記送風手段は前記クロスフローファンの回転軸が鉛直方向になるように室内の側壁面に配置され、前記側壁面に沿って気流を発生させる室内用集塵システム。
【請求項２】
送風手段により形成された気流は、複数の側壁面を沿って流れたのち集塵手段へと到達する構成とした請求項１に記載の室内用集塵システム。
【請求項３】
送風手段は、集塵手段へと向かう気流を発生させるように水平面に対して斜め方向に送風を行う構成とした請求項１に記載の室内用集塵システム。
【請求項４】
送風手段は、床面に当たることなく集塵手段へと流れる気流を発生させる構成とした請求項３に記載の室内用集塵システム。
【請求項５】
送風手段は、設置された側壁面に気流がぶつかるよう側壁面に対して斜めに送風する構成とした請求項１に記載の室内用集塵システム。
【発明の詳細な説明】
【技術分野】
【０００１】
本発明は、室内に気流を発生させ塵埃を集塵手段へと集める室内用集塵システムに関するものである。
【背景技術】
【０００２】
従来、この種の室内用集塵システムとしては、室内に設置された空調手段と集塵手段が連携して動作することで、室内全体の塵埃を回収できるようにしているものがあった。（例えば特許文献１参照）。
【０００３】
図５は、特許文献１に記載された従来の室内用集塵システムが設置された室内の側面図（下側が床面で上側が天井面）を示すものである。
【０００４】
図５において、空調手段１は室内の側壁面２の上部に配置されており、集塵手段３は床面４に配置されている。また、空調手段１及び集塵手段３は共に塵埃検知部５と塵埃検知部５（図示せず）の検知結果を通信する通信部６を有している。空調手段１が有する塵埃検知部５で検知された塵埃の情報は空調手段１が有する通信部６によって送信され、集塵手段３の通信部６で受信される。集塵手段３の有する塵埃検知部５で検知された塵埃の情報と通信部６によって通信された空調手段１の塵埃検知部５の情報に基づいて、集塵手段３は動作を変化させる。
【先行技術文献】
【特許文献】
【０００５】
【特許文献１】特開２００８−２６７７９５号公報
【発明の概要】
【発明が解決しようとする課題】
【０００６】
しかしながら、従来の室内用集塵システムでは、複数の塵埃検知部の検知結果に基づいて動作することで部屋全体の空気の清浄化を確認し動作することができるが、空調手段は集塵のための気流を発生させておらず、その結果、集塵手段３が効率よく集塵できないという課題を有していた。また、空調手段を一時的に空調を行わない送風手段とし、集塵手段へと塵埃を運ぶ気流を発生させるよう動作させても、空調手段は人のいる床面中央部方向へと気流を発生させる構造となっているため、床面中央部の塵埃を巻き上げ浮遊する塵埃を増やしてしまうという課題を有していた。
【０００７】
本発明は、上記従来の課題を解決するもので、床面中央部の塵埃を巻き上げて浮遊する塵埃を増してしまうことなく部屋全体の塵埃を回収することができる室内用集塵システムの提供を目的とする。
【課題を解決するための手段】
【０００８】
前記従来の課題を解決するために、本発明の室内用集塵システムは、室内の側壁面に設置され、クロスフローファンを有する送風手段と、吸引により室内の気流に乗って移動する塵埃を回収すると共に排気によって室内に気流を発生させる集塵手段とを備え、送風手段及び集塵手段は動作情報を相互に通信する通信手段を相互に有し、前記送風手段は前記クロスフローファンの回転軸が鉛直方向になるように室内の側壁面に配置され、側壁面に沿って気流を発生させる構成としたものである。
【０００９】
クロスフローファンの回転軸が鉛直方向になるように室内の側壁面に配置されることで
確実に壁面にそった気流が形成される。壁面にそった気流はコアンダ効果によりそのまま壁面に沿って流れるため、床面中央部の塵埃を巻き上げることなく集塵手段へと塵埃を集めることができる。
【発明の効果】
【００１０】
本発明の室内用集塵装置は、床面中央部の塵埃を巻き上げてしてしまうことなく集塵手段へと塵埃を集めることができるため、浮遊する塵埃が増えることがなくなり素早く室内の空気を清浄化することができる。
【図面の簡単な説明】
【００１１】
【図１】本発明の実施の形態１における室内用集塵システムが設置された室内の斜視図
【図２】同、送風手段の平面図
【図３】同、室内用集塵システムの他の構成例を示す図
【図４】同、室内用集塵システムの他の構成例を示す図
【図５】従来の室内用集塵システムが設置された室内の側面図
【発明を実施するための形態】
【００１２】
第１の発明は、室内の側壁面に設置され、クロスフローファンを有する送風手段と、吸引により前記室内の気流に乗って移動する塵埃を回収すると共に排気によって室内に気流を発生させる集塵手段とを備え、前記送風手段及び前記集塵手段は動作情報を相互に通信する通信手段を相互に有し、前記送風手段は前記クロスフローファンの回転軸が鉛直方向になるように室内の側壁面に配置され、前記側壁面に沿って気流を発生させる室内用集塵システムとすることにより、送風手段の発生させる気流が床面中央部の塵埃を巻き上げることなく集塵手段へと塵埃を集めることができるため、素早く室内の空気を清浄化することができる。
【００１３】
第２の発明は、特に第１の発明の送風手段を、発生させた気流が複数の側壁面を沿って流れたのち集塵手段へと到達するよう動作する構成とすることにより、より遠い位置の塵埃を集塵部へと集めることができる。
【００１４】
第３の発明は、特に第１の発明の送風手段を、集塵手段へと向かう気流を発生させるように水平面に対して斜め方向に送風を行う構成とすることにより、床面中央部の塵埃を巻き上げることなく、より確実に集塵手段へと塵埃を集めることができる。
【００１５】
第４の発明は、特に第３の発明の送風手段を、床面に当たることなく集塵手段へと流れる気流を発生させる構成とすることにより、床面中央部だけでなく外周部の塵埃を巻き上げることもなく集塵手段へと塵埃を集めることができる。
【００１６】
第５の発明は、特に第１の発明の送風手段を、設置された側壁面に気流がぶつかるよう側壁面に対して斜めに送風する構成とすることにより、送風手段からの気流がより確実に側壁面にそって流れるようになる。
【００１７】
以下、本発明の実施の形態について、図面を参照しながら説明する。なお、本実施の形態によって本発明が限定されるものではない。
【００１８】
（実施の形態１）
図１は、本発明の実施の形態１における室内用集塵システムの設置された室内の斜視図を示すものである。
【００１９】
図１において、室内には室内用集塵システムとして送風手段７と集塵手段８が設けられている。送風手段７及び集塵手段８は動作情報を相互に通信する通信部９を相互に有しており、送風手段７はクロスフローファン１０を内蔵している。送風手段７はクロスフローファン１０の回転軸が鉛直方向になるように室内の側壁面１１（具体的には、第１の側壁面１１Ａ）に配置されている。一方、集塵手段８は床面１２上におかれ側壁面１１（具体的には、第１の側壁面１１Ａと略直交する第２の側壁面１１Ｂ）に寄せて配置されている。
【００２０】
送風手段７は、側壁面１１にそって流れ塵埃（図示せず）を集塵手段８へと運ぶ送風気流１３を発生させている。送風気流１３はまず送風手段７が設置された第１の側壁面１１Ａに沿って流れた後、集塵手段８に近い第２の側壁面１１Ｂに沿って流れる。また送風気流１３は水平面に対して斜め下方向に向けられており、集塵手段８に向かって流されている。また送風手段７から集塵手段８に到達する過程で送風気流１３は床面に当たらないよう、送風手段７から送風される方向が設定されている。
【００２１】
集塵手段８は吸引と排気により室内全体に集塵気流１４を発生させ塵埃を回収している。
【００２２】
図２は、本実施の形態１における送風手段の平面図を示すものである。
【００２３】
図２において、送風手段７は側壁面１１に配置されておりクロスフローファン１０を内蔵している。送風手段７からの吹き出し口１５は送風気流１３が第１の側壁面１１Ａにぶつかるよう、第１の側壁面１１Ａに対して斜めに向けられている。
【００２４】
以上のように構成された室内用集塵システムについて、以下その動作、作用を説明する。
【００２５】
まず室内用集塵システムが動作されると、送風手段７と集塵手段８は、それぞれの通信部９によって互いの動作情報を通信する。この動作情報に基づいて送風手段７と集塵手段８は動作を変化させる。
【００２６】
集塵手段８は室内から空気を吸引することで空気に含まれる塵埃を回収し、同時に塵埃が取り除かれたきれいな空気を再び室内へと排気する。この吸気と排気によって室内には集塵気流１４が形成される。
【００２７】
また送風手段７はクロスフローファン１０を動作させ送風気流１３を発生させる。クロスフローファン１０は広い吹き出し口１５に対して均一な気流を作り、さらに吹き出し口１５は送風手段７の配置された第１の側壁面１１Ａに向けられているため、第１の側壁面１１Ａの広い面に沿った送風気流１３が形成される。またこの際、送風気流１３は集塵手段８に到達するよう水平方向に対しても斜めに向けられている。
【００２８】
第１の側壁面１１Ａに沿って流れる送風気流１３はコアンダ効果により第１の側壁面１１Ａから離れることなく流れ、集塵手段８が寄せられている第２の側壁面１１Ｂに到達する。送風気流１３はコアンダ効果によって壁面に沿って流れようとするため、続けて第２の側壁面１１Ｂにそって流れ集塵手段８へと到達する。送風気流１３は集塵手段８に到達するよう水平方向に対しても斜めに向けられているため、送風気流１３が集塵手段８の上を通過したり、送風気流１３が集塵手段８に到達する前に床面１２に当たったりすることなく、高さ方向においても集塵手段８に到達する。
【００２９】
送風気流１３が集塵手段８へと流れるのに伴って空気中に浮遊する塵埃も集塵手段８へ
と搬送され回収される。また、送風気流１３は側壁面１１に沿って流れているため、床面１２中央部に落下している塵埃を巻き上げることがない。同時に送風気流１３は集塵手段８に到達するまでの過程で床面１２に当たらないため、床面１２周辺部の塵埃も巻き上げない。これらによって室内用集塵システムは塵埃を巻き上げ、浮遊する塵埃を増やすことなく集塵手段８へと塵埃を集めることができるため、素早く室内の空気を清浄化することができる。また、送風気流１３は複数の側壁面１１Ａ、１１Ｂにそって部屋の対角まで流れ塵埃を搬送してきているため、室内用集塵システムは室内の遠い側壁面近傍に浮遊する塵埃も回収することができるため部屋全体の空気をより清浄化することが出来る。
【００３０】
なお、本実施の形態において送風手段７は水平方向に対し斜めに送風気流１３を形成する構成としたが、図３に示した室内用集塵システムの他の構成例のように、送風気流１３を水平方向に形成し、送風気流１３の一部は集塵手段８に到達しない構成としてもかまわない。集塵手段８に到達する送風気流１３によって塵埃が集塵手段８へと集められると同時に、集塵手段８に到達しない送風気流１３によっても塵埃は集塵手段８の上方や集塵手段８の周囲へと集められる。集塵手段８の周囲にまで集められた塵埃は集塵手段８によって形成される集塵気流１４によって集塵手段８へと運ばれ回収される。
【００３１】
なお、本実施の形態において送風手段７は床面１２に当たることなく集塵手段８へと流れる気流を発生させる構成としたが、図４に示した室内用集塵システムの他の構成例のように、送風手段７が発生させた送風気流１３の一部が側壁面１１（図示した例では、送風気流１３の流れる方向に対し、第２の側壁面１１Ｂの終端辺り）から床面１２に沿って流れる床面沿い気流１６となる構成としてもかまわない。床面沿い気流１６は底面１２の周辺部の塵埃を一部巻き上げるが床面１２中央部の塵埃は巻き上げずに塵埃を集塵手段８へと集めることができる。
【００３２】
上記した実施の形態における構成は、必要に応じて適宜組み合わせて使用することができるものであり、実施の形態そのものの構成に限られるものではない。
【産業上の利用可能性】
【００３３】
以上のように、本発明にかかる室内用集塵システムは室内に気流を発生させる装置に適用できる。
【符号の説明】
【００３４】
７  送風手段
８  集塵手段
９  通信部
１０  クロスフローファン
１１  側壁面
１２  床面
【図１】
2011069506.tif 000003
【図２】
2011069506.tif 000004
【図３】
2011069506.tif 000005
【図４】
2011069506.tif 000006
【図５】
2011069506.tif 000007